(57)【要約】【課題】回転機における磁気飽和を低減する。【解決手段】突極形の同期機１０は、固定子２０と、複数の突極３２を有する回転子３０とを備える。突極３２は、界磁巻線３８を巻き付ける突極胴部３４と、突極胴部３４よりも大きな径又は幅を有する突極頭部３６とを含む。隣接する突極３２の突極頭部３６の間に、突極３２が界磁された極と同じ極が対向するように永久磁石５０設けられる。永久磁石５０は、突極頭部３６に接するように設けられる。【選択図】図３
2008228460.tif 000002
【特許請求の範囲】
【請求項１】
固定子と、回転子と、前記固定子又は前記回転子に設けられた突極と、を備え、
前記突極は、
界磁巻線を巻き付ける胴部と、
前記胴部よりも大きな径又は幅を有する頭部と、を含み、
隣接する突極の頭部の間に、前記突極が界磁された極と同じ極が対向するように設けられた磁石を更に備えることを特徴とする回転機。
【請求項２】
前記磁石は、前記頭部に接するように設けられることを特徴とする請求項１に記載の回転機。
【請求項３】
前記磁石は、前記磁石の外周側の表面と前記頭部の外周側の表面の間に段差が生じないように、前記頭部の間に配置されることを特徴とする請求項１又は２に記載の回転機。
【請求項４】
前記磁石は、外周側よりも幅の広い部分を有した形状を有することを特徴とする請求項１から３のいずれかに記載の回転機。
【請求項５】
前記磁石は、内周側から外周側へ幅が狭くなる形状を有することを特徴とする請求項４に記載の回転機。
【請求項６】
前記突極及び前記磁石は、前記回転子の回転軸の軸方向に間隙をもって積層された複数の層を有することを特徴とする請求項１から５のいずれかに記載の回転機。
【請求項７】
前記突極及び前記磁石は、同じ位置に前記間隙を有することを特徴とする請求項６に記載の回転機。
【請求項８】
前記間隙に絶縁層が形成されたことを特徴とする請求項６又は７に記載の回転機。
【請求項９】
前記突極の頭部及び前記磁石の外周側の表面に溝が形成されたことを特徴とする請求項１から８のいずれかに記載の回転機。
【請求項１０】
前記溝は、前記回転子の回転軸に垂直な面に沿って設けられることを特徴とする請求項９に記載の回転機。
【請求項１１】
請求項１から１０のいずれかに記載の回転機を製造する方法であって、
前記磁石を前記突極の頭部の間に配置するステップと、
前記回転子を回転させるときと逆の極性に前記突極を励磁するステップと、
前記磁石を前記突極の頭部の間に固定して接着するステップと、
を備えることを特徴とする方法。
【発明の詳細な説明】
【技術分野】
【０００１】
本発明は、回転機に関し、とくに、突極形の同期機に関する。
【背景技術】
【０００２】
突極形同期機は、水力発電機・エンジン発電機・産業用電動機など各種用途に使用されている重要な機器である。突極形同期機については、一般的な教科書に詳述されている（例えば、非特許文献１参照）。
【非特許文献１】野中作太郎著、「電気機器（Ｉ）」、第１版第１３刷、森北出版株式会社、1983年8月、p.218-219、p.234
【発明の開示】
【発明が解決しようとする課題】
【０００３】
同期機の回転子の突極として鉄などの強磁性体を用いた方が、より少ない電流で大きな磁束密度が得られ、効率的である。しかし、鉄心では、磁気飽和により、２〜３テスラを越える磁束密度を得ることができず、また、磁気飽和が生じると大きな界磁電流が必要となるという問題がある。磁気飽和の影響を低減することが可能な技術の開発が望まれている。
【０００４】
本発明は、こうした現状に鑑みてなされたものであり、その目的は、回転機における磁気飽和を低減する技術を提供することにある。
【課題を解決するための手段】
【０００５】
本発明のある態様は、回転機に関する。この回転機は、固定子と、回転子と、前記固定子又は前記回転子に設けられた突極と、を備え、前記突極は、界磁巻線を巻き付ける胴部と、前記胴部よりも大きな径又は幅を有する頭部と、を含み、隣接する突極の頭部の間に、前記突極が界磁された極と同じ極が対向するように設けられた磁石を更に備えることを特徴とする。
【０００６】
前記磁石は、前記頭部に接するように設けられてもよい。前記磁石は、前記磁石の外周側の表面と前記頭部の外周側の表面の間に段差が生じないように、前記頭部の間に配置されてもよい。前記磁石は、外周側よりも幅の広い部分を有した形状を有してもよい。前記磁石は、内周側から外周側へ幅が狭くなる形状を有してもよい。
【０００７】
前記突極及び前記磁石は、前記回転子の回転軸の軸方向に間隙をもって積層された複数の層を有してもよい。前記突極及び前記磁石は、同じ位置に前記間隙を有してもよい。前記間隙に絶縁層が形成されてもよい。
【０００８】
前記突極の頭部及び前記磁石の外周側の表面に溝が形成されてもよい。前記溝は、前記回転子の回転軸に垂直な面に沿って設けられてもよい。
【０００９】
本発明の別の態様は、回転機の製造方法に関する。この方法は、上記のいずれかの回転機を製造する方法であって、前記磁石を前記突極の頭部の間に配置するステップと、前記回転子を回転させるときと逆の極性に前記突極を励磁するステップと、前記磁石を前記突極の頭部の間に固定するステップと、を備えることを特徴とする。
【００１０】
なお、以上の構成要素の任意の組合せ、本発明の表現を方法、装置、システムなどの間で変換したものもまた、本発明の態様として有効である。
【発明の効果】
【００１１】
本発明によれば、回転機における磁気飽和を低減する技術を提供することができる。
【発明を実施するための最良の形態】
【００１２】
図１は、従来の突極形の同期機１０の構成を示す。図１は、同期機１０の断面を模式的に示している。同期機１０は、外側に配置された円柱状の固定子２０と、固定子２０の内側に固定子２０と同軸に配置された回転子３０を備える。回転子３０は、鉄などの強磁性体で形成された複数の突極３２を有している。突極３２は、界磁巻線３８を巻き付けるための突極胴部３４と、突極胴部３４よりも大きな径又は幅を有する突極頭部３６とを有する。突極胴部３４に巻き付けられた界磁巻線３８に電流が供給されると、突極３２が励磁される。励磁された突極３２と、固定子２０の電機子２２との間に働く電磁力により、回転子３０が回転する。
【００１３】
図２は、突極３２の外観を模式的に示す。突極３２の突極頭部３６は、突極胴部３４よりも大きな径又は幅を有する。これにより、突極胴部３４に巻き付けられた界磁巻線３８が遠心力で径方向に飛び出さないように押さえられる。
【００１４】
鉄心の突極形の同期機１０では、鉄の磁気飽和により同期機１０の端子電圧が制限されるという問題がある。磁気飽和は、鉄心の各部に生じるが、とくに回転子３０の突極胴部３４及び突極頭部３６における磁気飽和が最も強い場合が多い。また、界磁巻線３８の界磁ジュール損失や発熱を低減するためには、界磁巻線３８の断面積を広くするのが好ましいが、界磁巻線３８の断面積を広くするには、突極胴部３４の径又は幅を小さくしたり、突極頭部３６の径方向の厚さを薄くしたりする必要があり、より狭い領域に磁力線が集中して磁気飽和を起こしやすくなる。とくに、図１及び図２に示した突極形の同期機１０では、自動車用オルタネータなどに用いられる爪形磁極の同期機と異なり、負荷時に突極頭部３６の周方向端部で磁気飽和が起こりやすくなる。
【００１５】
本実施の形態では、突極３２を形成する鉄心の磁気飽和を低減するために、磁極間に永久磁石を挿入する技術を提案する。
【００１６】
図３は、本実施の形態に係る同期機１０の構成を示す。本実施の形態では、突極３２における磁気飽和を低減するために、隣接する突極３２の突極頭部３６の間に永久磁石５０が設けられる。永久磁石５０は、突極３２が界磁された極と同じ極が対向するように設けられる。すなわち、Ｎ極に界磁された突極３２に永久磁石５０のＮ極が対向し、Ｓ極に界磁された突極３２に永久磁石５０のＳ極が対向するようにする。このようにすれば、永久磁石５０により、図１に示した界磁巻線３８による磁束６０を打ち消す方向に突極３２内に磁束６２が発生するので、突極３２における磁気飽和が低減される。
【００１７】
図４は、本実施の形態に係る突極３２の外観を模式的に示す。隣接する突極３２の突極頭部３６の間に永久磁石５０が挿入されている。永久磁石５０は、突極頭部３６に接するように設けられる。これにより、永久磁石５０から出る磁束が効率良く突極３２に達するので、磁気飽和を低減させる効果を向上させることができる。また、永久磁石５０が、突極頭部３６の間の隙間を埋め、かつ、永久磁石５０の外周側の表面と突極頭部３６の外周側の表面の間に段差が生じないように、突極頭部３６の間に配置されることで、回転子３０が回転するときの摩擦損失を低減することができる。
【００１８】
本発明者は、有限要素解析（ＦＥＡ）を用いて、図３及び図４に示した構造の有効性を検証した。以下、解析の内容について説明する。解析対象機は、固定子内径９１４ｍｍ、固定子外径１２４０ｍｍ、軸方向長５０７ｍｍ、定格速度７５０ｍｉｎ−１、Ｙ結線の８極機とする。運転条件は無負荷時とし、ダンパバーや永久磁石などの渦電流を無視した静磁界解析とする。界磁電流は一定とする。回転子を１極あたり１００分割で回転させる。永久磁石の残留磁束密度を１．２Ｔ、リコイル比透磁率を１．０５とする。固定子及び回転子鉄心のＢＨ特性には、それぞれ無方向性電磁鋼帯５０Ａ４００、５０Ａ１０００の直流磁化曲線を用いる。
【００１９】
図５（ａ）は、図１に示した回転機と同様に、永久磁石を挿入していない従来の構造の解析対象機Ａの断面を示す。図６（ａ）は、図３に示した本実施の形態の構造の解析対象機Ｂの断面を示す。図７（ａ）は、突極胴部の幅を解析対象機Ａ及びＢよりも３０％細くし、これに伴いコイル領域の断面積を約５０％増した構造の解析対象機Ｃの断面を示す。
【００２０】
図５（ｂ）、図６（ｂ）、図７（ｂ）は、界磁電流１３０Ａにおける解析対象機Ａ、Ｂ、Ｃの磁束線図を示す。解析対象機Ｂの突極胴部の磁束密度は、解析対象機Ａよりも０．２８Ｔ小さい。また、解析対象機Ｃは、解析対象機Ａよりも突極胴部の幅を約３０％細くしたにもかかわらず、突極胴部の磁束密度が同等であることが分かる。
【００２１】
図８は、永久磁石による磁束線図を示す。ギャップを横切って固定子側に達する磁束線は見られず、全ての磁束線が突極内を通っている。この磁束線が界磁巻線による磁束線と打ち消し合い、突極における磁気飽和を緩和していると考えられる。
【００２２】
図９は、それぞれの解析対象機の無負荷飽和曲線を示す。従来の構造の解析対象機Ａでは、界磁電流が９０Ａ付近から磁気飽和の影響が現れることが分かる。一方、永久磁石を挿入した解析対象機Ｂでは、１１０Ａ付近から磁気飽和の影響が現れている。すなわち、永久磁石の挿入によって不飽和領域が拡大している。
【００２３】
図９において、端子電圧が７００Ｖの領域に注目すると、解析対象機Ａよりも解析対象機Ｂの方が、界磁電流を約４０Ａ低減できることが分かる。すなわち、永久磁石の挿入によって、界磁電流低減効果を得ることができる。また、界磁電流が１５０Ａの領域に注目すると、解析対象機Ａでは端子電圧が７００Ｖ強にとどまっているのに対して、解析対象機Ｂでは８５０Ｖ近くの端子電圧が生じていることが分かる。すなわち、永久磁石の挿入によって端子電圧向上効果を得ることができる。
【００２４】
解析対象機Ｃは、解析対象機Ａよりも突極胴部の幅を３０％細くしたにもかかわらず、同等の端子電圧が得られている。したがって、永久磁石を挿入することによって、端子電圧を減らすことなく、界磁コイル領域の断面積を約５０％増加することができる。これにより、界磁ジュール損失や界磁巻線発熱を低減することが可能となる。
【００２５】
一方、界磁電流が９０Ａ以下の領域に注目すると、解析対象機Ａ、Ｂ、及びＣのギャップ線が一致していることが分かる。すなわち、磁気飽和の生じない領域では、永久磁石の効果が無いことが分かる。
【００２６】
以上のように、永久磁石の挿入により、解析対象機の磁気飽和が顕著に緩和されることが示された。
【００２７】
上記の解析は、無負荷時のものであるが、負荷時にも同様に、永久磁石の挿入により磁気飽和が顕著に緩和される。突極形の同期機を電動機として用いる場合、負荷時には、回転子を回転させるために、回転方向前方の電機子と突極が引き合うように電機子の極性が制御されるため、突極頭部の回転方向前方側の端部、すなわち、界磁巻線とエアギャップの間の部分に、より多くの磁束が集中して、磁気飽和がとくに起こりやすくなる。これにより、大きな界磁電流が必要となるという問題が生じる。同様の問題は、同期機を発電機として用いる場合にも生じうる。しかし、突極頭部間に永久磁石を挿入することにより、突極頭部の周方向端部及び突極胴部における磁気飽和を顕著に低減させることができるので、同期機の性能を一段と向上させることができる。
【００２８】
図１０は、実施の形態に係る同期機１０の別の構成例を示す。図１０に示した同期機１０では、永久磁石５０が、内周側から外周側へ向かって徐々に幅が狭くなる形状を有している。
【００２９】
図１１は、図１０に示した同期機１０の突極３２の外観を模式的に示す。このように、永久磁石５０の外周側の幅を、内周側の幅よりも狭くしておき、かつ、突極頭部３６と永久磁石５０が接するように永久磁石５０を配置することにより、永久磁石５０が遠心力で外へ飛び出さないように、突極頭部３６で押さえる構造とすることができる。
【００３０】
図１２は、実施の形態に係る同期機１０の別の構成例を示す。図１２に示した同期機１０では、永久磁石５０が、外周側よりも幅の広い部分を有した形状を有している。
【００３１】
図１３は、図１２に示した同期機１０の突極３２の外観を模式的に示す。このように、永久磁石５０の外周側の幅を、中心付近の幅よりも狭くしておき、かつ、突極頭部３６と永久磁石５０が接するように永久磁石５０を配置することにより、永久磁石５０が遠心力で外へ飛び出さないように、突極頭部３６で押さえる構造とすることができる。永久磁石５０は、少なくとも一部において、外周に向かって幅が狭くなる領域がある形状を有していればよい。
【００３２】
図１４は、従来の同期機１０の別の構成例を示す。図１４に示した同期機１０では、回転子３０が、回転子３０の回転軸の軸方向に間隙４０をもって積層された複数の層３０ａ、３０ｂ、・・・、を有する構造となっている。これにより、回転子３０において界磁巻線３８などに生じた熱を効率良く外部へ発散させることができる。
【００３３】
図１５は、本実施の形態の同期機１０における突極３２の外観を模式的に示す。図１４に示したような構造の同期機１０に永久磁石５０を挿入する場合、永久磁石５０も、回転子３０と同じ位置に間隙４０を有するように、回転子３０の回転軸の軸方向に積層された複数の層を有する構造とする。これにより、永久磁石５０で間隙をふさぐことなく、効率的に回転子３０の内部の熱を外部へ発散させることができる。
【００３４】
間隙４０に絶縁層が形成されてもよい。これにより、突極頭部３６や永久磁石５０の表面に生じる渦電流を低減し、渦電流損を低減することができる。複数の層の回転子３０と絶縁層は一体的に構成されてもよい。また、絶縁層は、突極頭部３６及び永久磁石５０の部分にのみ形成されてもよい。
【００３５】
図１６は、本実施の形態の同期機１０における突極３２の外観を模式的に示す。本図では、分かりやすくするために、永久磁石５０を省略している。図１６に示した同期機１０では、突極頭部３６外周側の表面に溝４２が形成されている。この溝４２は、回転子３０の回転軸に垂直な面に沿って設けられる。このような構造とすることにより、図１４に示した同期機１０と同様に、渦電流損を低減することができる。
【００３６】
図１７は、本実施の形態に係る同期機１０における突極３２の外観を模式的に示す。本図では、図１６に示した同期機１０の構成に永久磁石５０を加えている。永久磁石５０の外周側の表面にも溝４２が設けられている。永久磁石５０の表面の溝４２は、突極頭部３６の表面の溝４２と同じ位置に設けられてもよい。
【００３７】
本実施の形態の同期機１０を製造する場合、永久磁石５０を突極頭部３６の間に配置した後、回転子３０を回転させるときと逆方向に界磁巻線３８に電流を供給し、逆の極性に突極３２を励磁する。これにより、永久磁石５０のＮ極側の突極３２がＳ極に、Ｓ極側の突極３２がＮ極に励磁され、永久磁石５０が突極頭部３６に電磁力で固定されるので、その間に、永久磁石５０を突極頭部３６に溶接や治具などで接着すればよい。このとき、永久磁石５０を着磁する必要があれば、着磁に必要な磁力が生じるように、界磁巻線３８に電流を供給すればよい。
【００３８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００３９】
実施の形態では、回転界磁形の突極形同期機について説明したが、回転電機子形の突極形同期機についても同様に本実施の形態の技術を適用可能である。
【図面の簡単な説明】
【００４０】
【図１】従来の突極形の同期機の構成を示す図である。
【図２】突極の外観を模式的に示す。
【図３】本実施の形態に係る同期機の構成を示す図である。
【図４】本実施の形態に係る突極の外観を模式的に示す。
【図５】図５（ａ）は、図１に示した回転機と同様に、永久磁石を挿入していない従来の構造の解析対象機Ａの断面を示す図であり、図５（ｂ）は、解析対象機Ａの磁束線図である。
【図６】図６（ａ）は、図３に示した本実施の形態の構造の解析対象機Ｂの断面を示す図であり、図６（ｂ）は、解析対象機Ｂの磁束線図である。
【図７】図７（ａ）は、突極胴部の幅を解析対象機Ａ及びＢよりも３０％細くし、これに伴いコイル領域の断面積を約５０％増した構造の解析対象機Ｃの断面を示す図であり、図７（ｂ）は、解析対象機Ｃの磁束線図である。
【図８】永久磁石による磁束線図を示す図である。
【図９】それぞれの解析対象機の無負荷飽和曲線を示す図である。
【図１０】実施の形態に係る同期機の別の構成例を示す図である。
【図１１】図１０に示した同期機の突極の外観を模式的に示す。
【図１２】実施の形態に係る同期機の別の構成例を示す図である。
【図１３】図１２に示した同期機の突極の外観を模式的に示す。
【図１４】従来の同期機の別の構成例を示す図である。
【図１５】本実施の形態の同期機における突極の外観を模式的に示す。
【図１６】本実施の形態の同期機における突極の外観を模式的に示す。
【図１７】本実施の形態に係る同期機における突極の外観を模式的に示す。
【符号の説明】
【００４１】
１０  同期機、２０  固定子、２２  電機子、３０  回転子、３２  突極、３４  突極胴部、３６  突極頭部、３８  界磁巻線、４０  間隙、４２  溝、５０  永久磁石。
【図１】
2008228460.tif 000003
【図２】
2008228460.tif 000004
【図３】
2008228460.tif 000005
【図４】
2008228460.tif 000006
【図１０】
2008228460.tif 000007
【図１１】
2008228460.tif 000008
【図１２】
2008228460.tif 000009
【図１３】
2008228460.tif 000010
【図１４】
2008228460.tif 000011
【図１５】
2008228460.tif 000012
【図１６】
2008228460.tif 000013
【図１７】
2008228460.tif 000014
【図５】
2008228460.tif 000015
【図６】
2008228460.tif 000016
【図７】
2008228460.tif 000017
【図８】
2008228460.tif 000018
【図９】
2008228460.tif 000019